(57)【特許請求の範囲】
【請求項１】
キーの挿入時、該キーの先端と扉に設けた錠前の鍵穴とが不一致の場合に、操作外筒体に回転自在に保持された前記キーが前記鍵穴と一致する方向へ回転する錠前用キー挿入補助具であって、前記操作外筒体の後端部の内部に被係合部分を設け、一方、内端部に前記被係合部分に係脱可能な係合部分を有する連結体を前記操作外筒体に回転自在かつ後退動可能に支持させ、該連結体は操作外筒体に内装された復帰バネで該操作外筒体の先端開口から突出する方向に付勢され、さらに、該連結体の突出先端部には前記鍵穴側に設けた第1磁性体の極性に対応して吸着する第2磁性体を設け、前記キーは該連結体と共に回転することができるように互いに係合していることを特徴とする錠前用キー挿入補助具。
【請求項２】
請求項１に於いて、キーは、その軸状後端部が操作外筒体の後端部の内部に支持されていると共に、少なくとも先端部又は中央部のいずれかが後退動可能なパイプ状の連結体の内端部に支持されていることを特徴とする錠前用キー挿入補助具。
【請求項３】
請求項１又は請求項２に於いて、操作外筒体は、両端開口の長筒状円筒体と、該長筒状円筒体の後端開口に嵌着するキャップ状の蓋体から成ることを特徴とする錠前用キー挿入補助具。
【請求項４】
請求項１に於いて、操作外筒体に連結体の内端部を滑動可能に支持すると共に復帰バネの先端部を支持する環状摺動体を内装したことを特徴とする錠前用キー挿入補助具。
【発明の詳細な説明】
【技術分野】
【０００１】
本発明は、携帯型の錠前用キー挿入補助具に関する。
【背景技術】
【０００２】
特許文献１には、「バリヤーフリーの観点から、キーを指で押し込むことにより、錠前を容易に解錠することができることを目的」として、「円柱状カムの外面にカム係合部及び先端面にブレード部分を有するキー本体と、前記カムに外係合すると共に、前記カム係合部に係合するカーブ状制御案内部を有する収納ケースとから成る錠前用キー」が開示されている。
【０００３】
この錠前用キーは、本発明と同様に携帯型であって、錠前を容易に施・解錠することを目的とするものであるが、本発明の所期の目的は、「錠前の鍵穴の形状や水平方向かそれとも垂直方向かの如何を問わず、仮に鍵穴の角度とキーの挿入角度が不一致の場合であっても、キーの先を錠前の鍵穴に一致するように自動的に回転させること」であるから、発明の課題・構成が相違する。
【０００４】
また、特許文献２には、外筒体と、該外筒体に後退動可能に係合する内筒体を含む鍵収納ケースが記載され、図１には、外筒体を持ちながら内筒体の先端面を錠前の鍵穴の周囲に押し付ける事項が記載されている。
【０００５】
しかしながら、該特許文献２の発明の目的は、錠前を改造することなく、低コストで鍵使用の検知手段を設けることであり、特許文献１と同様に発明の課題・構成が相違する。
【先行技術文献】
【特許文献】
【０００６】
【特許文献１】特開２００７−１６２２３０号公報
【特許文献２】特開２００１−２０７７０１号公報の図１
【発明の概要】
【発明が解決しようとする課題】
【０００７】
本発明の所期の目的は、錠前の鍵穴の形状や水平方向かそれとも垂直方向かの如何を問わず、仮に鍵穴の角度とキーの挿入角度が不一致の場合であっても、錠前の鍵穴に連結体の先端面（或いはキーの先）を接近させるだけで、キーが連結体を介してキーの挿入位置まで自動的に回る錠前用キー挿入補助具を提案することである。第２の目的は、例えばキーの挿入時に連結体の先端面を鍵穴の周囲に押し付けても、キーを安定的に保持することができることである。第３の目的は、構成部材を容易に組み合わせることができることである。その他外筒体と連結体（例えば円筒体）とキーとをそれぞれ一体的に結合させて錠前の施・解錠操作を実現することである。
【課題を解決するための手段】
【０００８】
本発明の携帯型の錠前用キー挿入補助具は、キーの挿入時、該キーの先端と扉に設けた錠前の鍵穴とが不一致の場合に、操作外筒体に回転自在に保持された前記キーが前記鍵穴と一致する方向へ回転する錠前用キー挿入補助具であって、前記操作外筒体の後端部の内部に被係合部分を設け、一方、内端部に前記被係合部分に係脱可能な係合部分を有する連結体を前記操作外筒体に回転自在かつ後退動可能に支持させ、該連結体は操作外筒体に内装された復帰バネで該操作外筒体の先端開口から突出する方向に付勢され、さらに、該連結体の突出先端部には前記鍵穴側に設けられた第1磁性体の極性に対応して吸着する第2磁性体を設け、前記キーは該連結体と共に回転することができるように互いに係合し、該キーが前記鍵穴に入り込むのに対応して前記連結体は前記復帰バネのバネ力に抗して所定位置まで後退動し、該連結体の内端部の前記係合部分が操作外筒体の前記被係合部分に連結状態に結合することを特徴とする。ここで「係合部分と被係合部分の係合」とは、オス・メス係合や摩擦係合の連結状態をいう。
【発明の効果】
【０００９】
（ａ）キー１１を鍵穴ａに正確に合わせなくても、操作外筒体を持って錠前の鍵穴に連結体の先端（或いはキーの先）を接近させるだけで、キーが連結体を介してキーの挿入位置まで自動的に回る。したがって、鍵穴に対するキーの挿入行為が楽である。
（ｂ）請求項２に記載の発明は、例えばキーの挿入時に、該キーは、その軸状後端部が操作外筒体の後端部の内部に支持されていると共に、先端部や中央部（中央部寄りの部位も含む）が後退動可能な連結体の内端部に支持されているので、連結体の先端面を鍵穴の周囲に押し付けても、キーは前後の二箇所で安定的に保持される。したがって、キー挿入補助具の故障を防止することができる。
（ｃ）請求項３に記載の発明は、操作外筒体に対する連結体やバネ部材の組み合わせが容易である。
（ｄ）請求項４に記載の発明は、錠前の鍵穴に連結体の先端（或いはキーの先）を接近させたとき、連結体を連結体用復帰バネのバネ力（抵抗）を極力受けないように回転させることができる。
【図面の簡単な説明】
【００１０】
図１乃至図８は本発明の最良の実施例（第１の実施形態）を示す各説明図。図９及び図１０は本発明の第２の実施形態を示す各説明図。図１１及び図１２は本発明の第３の実施形態の概略説明図。
【図１】本発明の全体の環境状態を示す概略説明図。
【図２】初期状態の概略説明図。
【図３】錠前の鍵穴側の概略説明図。
【図４】一部を省略した要部の概略説明図。
【図５】連結体を仮想線で示した主要部の説明図。
【図６】図６の（ａ）は連結体の先端面と鍵穴側の構成を示す概略説明図。図６の（ｂ）は連結体の先端面を鍵穴に接近させた場合の概略説明図。
【図７】キーの差込み部分が錠前の鍵穴に完全に入り込んだ説明図。
【図８】キー、連結体、操作外筒体が一体的に回転可能である旨の説明図。
【図９】連結体が復帰バネのバネ力（抵抗）を極力受けないような状態で回転可能である概略説明図。
【図１０】連結体が後退動している状態の概略説明図。
【図１１】第３の実施形態の全体の概略説明図。
【図１２】操作外筒体を省略した要部の説明図。
【発明を実施するための最良の形態】
【００１１】
以下、図１乃至図８に示す本発明を実施するための最良の形態により説明する。
【００１２】
（１）発明の概要
図１は発明の実施の環境を示す概略説明図である。また、図２は初期状態の概略説明図である。図１及び図２に於いて、Ｘは錠前、ａは錠前の鍵穴、ｂは鍵穴の周囲（前面）、Ｙは扉、そして、Ｚは、本発明の携帯型の錠前用キー挿入補助具（以下、「キー挿入補助具」という。）である。このキー挿入補助具Ｚは、キー１１の挿入時、該キー１１の先端と扉Ｙに設けた錠前Ｘの鍵穴ａとが不一致の場合に、錠前Ｘの鍵穴ａ側に連結体２１の先端（或いはキーの先）を接近させると、磁性体同士４１、２５の吸着力により、操作外筒体１に回転自在に保持された前記キー１１が筒状の連結体２１を介して前記鍵穴ａと一致する方向へ自動回転する。
【００１３】
すなわち、実施形態のキー挿入補助具Ｚは、例えば図１及び図２で示す操作外筒体１の後端部２の内部にメスに相当する被係合部分３を環状に設け、一方、鍔状の内端部２２に前記環状被係合部分３に係脱可能なオスに相当する筒状の係合部分２３を有するパイプ状の連結体２１を操作外筒体１に回転自在かつ後退動可能に支持させている。
しかして、前記パイプ状連結体２１は操作外筒体１に内装された復帰バネ３１で該操作外筒体１の先端開口４から突出する方向に常に付勢され、さらに、該パイプ状連結体２１の突出先端部２４には、錠前Ｘの鍵穴ａ側に設けた単数又は複数個の第1磁性体４１、４１の極性に対応して吸着する単数又は複数個の第2磁性体２５、２５を設けてある。そして、前記キー１１は連結体２１と共に回転することができるように該連結体の先端面に形成した長孔状支持孔２６と扁平状のキー先１１ａを介して互いに係合している。
【００１４】
そこで、キー挿入補助具Ｚを操作する際には、該キー挿入補助具Ｚを指で摘んだ状態で錠前Ｘの鍵穴ａ側に連結体２１の先端（或いはキーの先）を接近させると、固定（鍵穴ａ）側の第1磁性体４１、４１の極性に対応して、可動（キー挿入補助具Ｚ）側の第2磁性体２５、２５が吸着する方向へと引かれるので、操作外筒体１に回転自在に保持されたパイプ状連結体２１は、所要量（例えば１０度、３０度、４５度など）、瞬間的に回転する。この時、該キー１１は、その軸状後端部１１ｂが操作外筒体１の後端部２の内部に形成された軸穴２ａに支持されていると共に、先端部１１ａや中央部１１ｃが後退動可能な連結体２１の内端部２２に支持されているので、連結体２１の先端面２１ａを鍵穴ａの周囲ｂに押し付けても、板状乃至棒状のキー１１は前後の二箇所で安定的に保持される。
【００１５】
そして、キー１１の扁平状キー先１１ａが鍵穴ａと一致した所（挿入可能位置）で、キー挿入補助具Ｚを鍵穴ａ側に押し込むと、該キー１１が前記鍵穴ａに入り込むのに対応して前記連結体２１は復帰バネ３１のバネ力に抗して所定位置まで後退動し、該連結体２１の内端部２２の突起状係合部分２３が操作外筒体１の被係合部分３に連結状態に係合（この実施形態では係入、或いは嵌合）する。
【００１６】
図３は、錠前Ｘの鍵穴ａ側の概略説明図である。単数又は複数個（実施形態）の第1磁性体４１、４１は、水平方向の鍵穴ａの左右に一対埋設されている。したがって、実施化レベルでは、例えば内筒体の前面左右に第1磁性体４１、４１が設けられている。もちろん、第1磁性体４１、４１の配設位置は、内筒体の前面に限定されるものではなく、キー挿入補助具Ｚ側の連結体２１の先端面２１ａ或いは先端部に突起状態に設けられた位置に対応する必要があるので、錠前Ｘの内筒体を包む外筒体等の前面に適宜配設される。
【００１７】
図４は一部を省略した要部の概略説明図である。また図５は、連結体２１を仮想線で示した主要部の説明図である。これらの図から明らかなように、実施形態の「係合」は、摩擦方式ではなく、オス・メスの係合関係であり、例えばオスに相当する係合部分２３を連結体２１の内端部２２から操作外筒体１の被係合部分３方向へ突出形成し、該係合部分２３の形状を短筒状にすると共に、その外周面に平歯車の如く、多数の係合歯を形成する。この短筒状係合部分２３の長さは、復帰バネ３１の存在が障害とならないように所要の長さに設定されている。オス側の係合部分２３が連結体２１の内端部２２に形成したので、実施形態では、操作外筒体１の被係合部分３は蓋体に相当する後端部２の内壁部分に形成され、該被係合部分３の形状は、前記短筒状の係合部分２３が係入可能な環状溝であり、しかも、該環状溝の内周には、前述した多数の係合歯に噛合する多数の被係合歯が形成されている（図８参照）。
【００１８】
（２）錠前Ｘの鍵穴ａ
第1磁性体４１、４１を有する錠前Ｘの鍵穴ａは、水平方向又は垂直方向のいずれであっても良い。また鍵穴ａの形状は、例えばブレード部分と称される差込み部分の両側縁部分に刻み状の鍵溝を有するもの、又はブランキーと称される平坦面に幾何学的溝、逆円錐台状窪み等を有するものがそれぞれ挿入可能なものであれば良い。例えば図５で示すように、実施形態のキー１１はブランキーと称されるものなので、錠前Ｘの鍵穴ａは、例えば単純な水平方向の穴である。
【００１９】
（３）操作外筒体１
実施形態では、操作外筒体１は、両端開口の長筒状円筒体（不番）と、該長筒状円筒体の後端開口に嵌着するキャップ状の蓋体２から成る。このように構成すると、連結体２１、復帰バネ３１等を操作外筒体１の後端開口から容易に組み込むことができる。なお、連結体２１、復帰バネ３１等を操作外筒体１の後端開口から組込んだ後は、キャップ状蓋体２を嵌着し、かつ複数個の固着具でもって蓋体１を長筒状円筒体に固定する。
【００２０】
（４）連結体２１
キー１１を回すことができる連結体２１は、図１や図２で示すように、初期状態では、連結体用復帰バネ３１のバネ力により外筒体１の先端開口４から突出すると共に、キー１１の中央部（中央部寄りの部位も含む）１１ｃからキー先１１ａまで（キー１の一部を）直接に覆っている。円筒状或いはパイプ状の連結体２１は、初期状態の時、操作外筒体１の先端開口４から外れないように、例えば内端部２２はフランジ状に形成され、該内端部２２の前面（当接部分）は操作外筒体１の環状ストッパ部分５にソフトなタッチで当接している。付言すると、連結体２１用復帰バネ３１のバネ力は、初期状態では、伸び切っており、復帰バネ３１の抵抗力が連結体２１に極力作用しないように設定されている。
【００２１】
また、連結体２１は、初期状態の時は操作外筒体１を捕捉（結合）していないものの、連結体２１が錠前Ｘの鍵穴ａの周囲ｂに押付けられながら、かつ連結体用復帰バネ３１のバネ力に抗して所定位置まで後退した時に、その係合部分２３が操作外筒体１の後端部２の被係合部分３に係合（捕捉）する。その結果、操作外筒体１とキー１１と連結体２１がそれぞれ一体的に結合する。
【００２２】
さらに、連結体２１の先端面には、前述したように、支持孔２６が形成され、該支持孔２６にキー先１１ａが係合しているので、連結体２１が左右いずれかの方向に回転すると、キー１１は連結体２１と共に同方向へと回転する。
【００２３】
（５）構成・作用
図６の（ａ）は、連結体２１の先端面２１ａと鍵穴ａ側の構成を示す概略説明図、一方、図６の（ｂ）は連結体２１の先端面２１ａを鍵穴ａに接近させた場合の概略説明図である。また図７は、キー１１の差込み部分が錠前Ｘの鍵穴ａに完全に入り込んだ説明図である。さらに、図８は、キー１１、パイプ状連結体２１、操作外筒体１が一体的に回転可能である旨の説明図である。
【００２４】
これらの図から明らかなように、実施形態の錠前用キー挿入補助具Ｚは、後端部２の内部に被係合部分３を有する長筒状の操作外筒体１と、この操作外筒体１に後端部（内端部２２）側が挿入されていると共に、先端部側が該操作外筒体１の先端開口４から突出するキー１１と、前記被係合部分３と係脱可能な係合部分２３を有する内端部２２が前記操作外筒体１の環状先端部分に係止された状態で該操作外筒体１に嵌挿され、かつ該内端部２２に連設する突出部分が前記キー１１の先端部側の一部又は全部（本実施形態）を包むと共に、前記操作外筒体１に支持された状態でキーを回転させることができるパイプ状連結体２１と、この連結体２１をキー１１の先端部側に付勢するように操作外筒体１に内装された連結用復帰バネ３１と、扉Ｙに設けられた錠前Ｘの鍵穴ａ側に設けた単数又は複数の第1磁性体４１の極性に対応して吸着するように前記連結体２１の突出部分の先端部或いは先端面２１ａに設けられた第2磁性体２５とから成り、前記キー１１の挿入時、操作外筒体１を指で摘んだ状態で、パイプ状連結体２１の先端部を鍵穴ａに接近させるだけで、前記第1磁性体４１に対して前記第2磁性体２５が吸着するようにパイプ状連結体２１が所要量回転し、その結果、キー１１はパイプ状連結体２１を介して自動回転し、キー１１のキー先１１ａが略鍵穴ａに挿入可能な位置となる。
【００２５】
その後、操作外筒体１を持つたままの状態でキー１１の先端部側を鍵穴ａに挿入すると、パイプ状連結体２１の先端面２１ａは鍵穴ａの周面に押されながらパイプ状連結体２１は所定位置まで後退動し、該パイプ状連結体２１の内端部２２の筒状の係合部分２３が操作外筒体１の環状被係合部分３に連結状態に係合する。この時、操作外筒体１とキー１１と連結体２１は一体的に連結状態となり、操作外筒体１を持ちながら、該操作外筒体を施・解錠方向へ回すと、キー１１は連結体２１と共働回転する。
【実施例】
【００２６】
本発明の第１の実施形態に於いて、復帰バネ３１の線径、巻き数、強さ等は、連結体２１の回転や後退動を考慮して適宜に設定される事項である。望ましくは、復帰バネ３１の先端部はリング状に形成して、連結体２１がスムースに滑動するように設計される。また、錠前側の第１磁性体４１の位置は、実施形態では、鍵穴ａの長径方向の左右に配設されているが、鍵穴ａの短径方向の上下に配設しても良い。この場合は連結体側の第2磁性体２５の位置もそれに対応する位置に配設される。要は、錠前側の第１磁性体４１に連結体側の第2磁性体25が吸着した所で、鍵穴ａとキー先１１ａが一致すれば良い。
以下、この欄では、本発明の第２・第３の実施形態を説明する。なお、これらの実施形態を説明するに当って、第１の実施形態と同一の部分には同一又は同様の符号を付して重複する説明を割愛する。
【００２７】
図９及び図１０は本発明の第２の実施形態を示す各説明図である。この第２の実施形態の特徴は、操作外筒体１Ａに連結体２１Ａの内端部２２Ａを滑動可能に支持すると共に、復帰バネ３１Ａのバネ先端部を支持する環状摺動体３０を内装した点である。この第２の実施形態の操作外筒体１Ａの先端部は断面段差状に形成され、該断面段差部分にはパイプ状連結体２１Ａのフランジ状内端部２２Ａの一部が遊嵌合する小径の環状凹所６が含まれている。また、前記断面段差部分（先端部の内部）には、前記環状摺動体３０の前面が当接する環状のストッパ面７が形成されている。環状摺動体３０は、滑動性の機能を有する合成樹脂材で断面段差状のドーナツ形状に成形され、前側の大径孔は常に連結体２１Ａの内端部２２Ａを支承し、一方、後側の小径孔は筒状係合部分２３に外嵌合している。そして、環状摺動体３０の後端面は復帰バネ３１Ａのバネ先端部を受けている。
【００２８】
図９は、パイプ状の連結体２１Ａが復帰バネ３１Ａのバネ力（抵抗）を極力受けないような状態で回転可能であることを示している。また図１０は、パイプ状の連結体２１Ａが後退動している状態を示している。
【００２９】
図１１及び図１２は本発明の第３の実施形態の概略説明図である。この第３の実施形態は、連結体２１Ｂの内端部２２に突設した係合部分２３の端面に多数の刻み状の小突起２３ａが設けられ、一方、操作外筒体１の後端部２の内壁面には、摩擦抵抗を有する被係合部３Ｂ（例えばゴム板）が張り付けられている点である。このように、係合部分２３と被係合部３Ｂの係脱構造は、公知・周知のクラッチ機構（円盤体の対向面同士の凹凸、ゴム板に対する摩擦係合など）であっても良い。
【産業上の利用可能性】
【００３０】
本発明は、主に錠前や建具の業界で利用される。
【符号の説明】
【００３１】
Ｘ…錠前、ａ…鍵穴、ｂ…鍵穴の周囲、Ｙ…扉、Ｚ…キー挿入補助具、1、１Ａ…操作外筒体、２…後端部、３、３Ｂ…被係合部分、４…先端開口、５…ストッパ部分、６…環状凹所、１１、１１Ａ…キー、１１ａ…キー先、１１ｂ…軸状後端部、２１、２１Ａ、２１Ｂ…連結体、２１ａ…先端面、２２、２２Ａ…内端部、２３…係合部分、２４…突出先端部、２５…連結体側の第2磁性体、３０…環状摺動体、３１、３１Ａ…復帰バネ、４１…錠前側の第１磁性体。
【図１】
0005663362.tif 000002
【図２】
0005663362.tif 000003
【図３】
0005663362.tif 000004
【図４】
0005663362.tif 000005
【図５】
0005663362.tif 000006
【図６】
0005663362.tif 000007
【図７】
0005663362.tif 000008
【図８】
0005663362.tif 000009
【図９】
0005663362.tif 000010
【図１０】
0005663362.tif 000011
【図１１】
0005663362.tif 000012
【図１２】
0005663362.tif 000013